(57)【要約】【課題】意匠性や創造性を高め、折り紙の需要の増加を図ることのできる折鶴用折り紙を提供する。【解決手段】  本考案に係る折鶴用折り紙は、折鶴１に国旗の柄が現われるように模様１１が印刷されていることを特徴とし、平面視で、折鶴１の胴体部２を中心として胴体部２と左右の羽部３，４に国旗の主要な柄が現われるように形成されているのが好ましい。また、折鶴１を折るための折り線が印刷されていることが好ましく、さらに、一側部中央位置に目印が印刷されていることが好ましい。【選択図】図３
0003193977.tif 000002
【実用新案登録請求の範囲】
【請求項１】
折鶴に国旗の柄が現われるように模様が印刷されていることを特徴とする折鶴用折り紙。
【請求項２】
平面視で、前記折鶴の胴体部を中心として該胴体部と左右の羽部に前記国旗の主要な柄が現われるように形成されていることを特徴とする請求項１に記載の折鶴用折り紙。
【請求項３】
前記折鶴を折るための折り線が印刷されていることを特徴とする請求項１又は２に記載の折鶴用折り紙。
【請求項４】
一側部中央位置に目印が印刷されていることを特徴とする請求項１〜３のいずれかの請求項に記載の折鶴用折り紙。
【考案の詳細な説明】
【技術分野】
【０００１】
本考案は、折り紙に関し、特に鶴を折るための折鶴用折り紙に関するものである。
【背景技術】
【０００２】
折り紙は、動植物や生活用品等の形に紙を折る日本伝統の遊びに使用されるものである。従来の折り紙は、通常、片面が単一色で着色された正方形状の紙によって形成されており、折り紙によって折られる代表的なものとして、例えば、折鶴がよく知られている。（例えば、非特許文献１参照）。
【先行技術文献】
【非特許文献】
【０００３】
【非特許文献１】YAHOOの折り紙の通販サイト（http://shopping.search.yahoo.co.jp）
【考案の概要】
【考案が解決しようとする課題】
【０００４】
しかしながら、上記した従来の折り紙は、片面が単一色で着色されており、意匠性や創造性に乏しく、単純で面白みに欠けるため、飽きられ易く、需要の増加があまり見込めないという問題がある。
【０００５】
本考案は、上記した課題を解決すべくなされたものであり、意匠性や創造性を高め、需要の増加を図ることのできる折鶴用折り紙を提供することを目的とするものである。
【課題を解決するための手段】
【０００６】
上記した目的を達成するため、本考案に係る折鶴用折り紙は、折鶴に国旗の柄が現われるように模様が印刷されていることを特徴とする。
【０００７】
また、本考案に係る折鶴用折り紙は、平面視で、前記折鶴の胴体部を中心として該胴体部と左右の羽部に前記国旗の主要な柄が現われるように形成されているのが好ましい。
【０００８】
このように折鶴に国旗の柄が現われるように構成することにより、折り紙の楽しさを喚起することができると共に、折鶴を通して地理を学ぶことができる。また、意匠性や創造性を高めることで、折り紙の需要の増加を図ることができる。
【０００９】
また、本考案に係る折鶴用折り紙には、前記折鶴を折るための折り線が印刷されているのが好ましく、さらに、一側部中央位置に目印が印刷されているのが好ましい。
【００１０】
このように折り線や目印を印刷することにより、折鶴の折り方を知らない人や忘れた人でも簡単に折鶴を折ることができる。
【考案の効果】
【００１１】
本考案によれば、意匠性や創造性を高め、折り紙の需要の増加を図ることができる等、種々の優れた効果を得ることができる。
【図面の簡単な説明】
【００１２】
【図１】本考案の実施の形態に係る折鶴用折り紙を示す平面図である。
【図２】本考案の実施の形態に係る折鶴用折り紙で作られた折鶴を示す斜視図である。
【図３】本考案の実施の形態に係る折鶴用折り紙で作られた折鶴を示す平面図である。
【図４】本考案の実施の形態に係る別の折鶴用折り紙を示す平面図である。
【図５】本考案の実施の形態に係る別の折鶴用折り紙で作られた折鶴を示す平面図である。
【考案を実施するための形態】
【００１３】
以下、図面を参照しつつ、本考案の実施の形態に係る折鶴用折り紙１０について説明する。図１は本考案の実施の形態に係る折鶴用折り紙を示す平面図、図２は本考案の実施の形態に係る折鶴用折り紙で作られた折鶴を示す斜視図、図３は本考案の実施の形態に係る折鶴用折り紙で作られた折鶴を示す平面図である。
【００１４】
本実施の形態に係る折り紙１０は、鶴を折るための折鶴用のものであり、正方形状を有している。図１に示されているように、折り紙１０の表面には、模様１１と、折り線１２と、目印１３と、が印刷されている。
【００１５】
模様１１は、折鶴１（図２及び図３参照）に日本国の国旗の柄が現われるよう、白地に赤色で形成されている。模様１１は、左辺１４から下辺１５に掛けて１／４円弧状に形成される第１円弧部１６と、上辺１７から右辺１８に掛けて該第１円弧部１６とは逆向きの１／４円弧状に形成される第２円弧部１９と、第１円弧部１６と第２円弧部１９とを連結するように左上から右下に掛けて斜めに長円形状に形成される長円部２０と、により構成されている。
【００１６】
折り線１２は、左下部分に形成される頭部用折り線２１と、右上部分に形成される尻尾部用折り線２２と、左上部分及び右下部分に形成される羽部用折り線２３，２４と、を備え、これらの各折り線２１，２２，２３，２４は、それぞれ、折鶴１の胴部を形成する中央部分の周りに形成されている。
【００１７】
目印１３は、星形を成しており、折鶴１を折る過程で常に目立つように、右側部中央位置に形成されている。なお、目印１３は、右側部中央位置の代わりに或いはそれに加えて、左側部中央位置や上側部中央位置や下側部中央位置に設けられていても良い。
【００１８】
また、折り紙１０の左上には、折鶴１に現れる国旗とその国名が日本語と英語で表記されている。
【００１９】
このような構成を備えた折り紙１０を、各折り線２１，２２，２３，２４に従って折ると、図２及び図３に示すように折鶴１が完成し、該折鶴１に日本国の国旗の柄が現われる。この時、図３に良く示されているように、日本国の国旗の主要な柄は、平面視で、折鶴１の胴体部２を中心として該胴体部２と左右の羽部３，４に現われる。
【００２０】
なお、折鶴１の折り方の良く分からない利用者のため、折り方の説明書を折り紙１０に付属させてもよい。この場合、上記したように実際の折り紙１０の目立つ位置に目印１３が印刷されているため、説明書中の折り紙にも同一位置に目印１３を付けることにより、利用者は迷うことなく確実に折鶴１を完成させることができる。
【００２１】
上記した本考案の実施の形態に係る折り紙１０によれば、折鶴１に国旗の柄が現われるため、折り紙１０の楽しさを喚起することができると共に、折鶴１を通して地理を学ぶことができる。また、意匠性や創造性を高めることができ、折り紙１０の需要の増加を図ることができる。
【００２２】
なお、上記した本考案の実施の形態では、折鶴１に日本国の国旗の柄が現われるように構成された折り紙１０について説明したが、これは単なる例示に過ぎず、本考案はこの形態に限定されるものではない。すなわち、本考案は、例えば、図４及び図５に示すようにアメリカ合衆国の国旗の柄や、或いは、特に図示しないが、中華人民共和国、インド、大韓民国、台湾、タイ王国、マレーシア、イギリス、フランス共和国、ドイツ連邦共和国、スペイン、ロシア連邦、オーストラリア連邦、カナダ、ブラジル連邦共和国、アルゼンチン共和国等、他の国旗の柄が折鶴１に現われるように構成することができることは言うまでもない。
【符号の説明】
【００２３】
１    折鶴
２    胴体部
３    羽部
４    羽部
１０  折り紙
１１  模様
１２  折り線
１３  目印
【図１】
0003193977.tif 000003
【図２】
0003193977.tif 000004
【図３】
0003193977.tif 000005
【図４】
0003193977.tif 000006
【図５】
0003193977.tif 000007